(57)【要約】    【課題】磯の表面に確実にグリップし、安定して磯の上に配置される釣用バケツの提供。    【解決手段】この釣用バケツ１０は、本体１１と、蓋１２と、把手１３とを備える。本体１１は、側壁部１４と底面部１５とを備える。側壁部１４及び底面部１５は、可撓性を有する材料からなる。底面部１５は、トレー状に形成されており、例えばＥＶＡ（エチレン酢酸ビニル共重合体）等からなる。底面部１５の周縁部は、側壁部１４の下縁部に接合されている。底面部１５には凹条２３が形成されている。この凹条２３は、底面部１５を構成するシート状部材の一部が湾曲されることによって構成されている。凹条２３の内壁面は、円弧状に形成されている。凹条２３は、底面部１５の縁部２４から底面を横切り、反対側の縁部まで延びている。【選択図】図１
2005323525.tif 000002
【特許請求の範囲】
【請求項１】
釣り場上に載置される底面部を有する釣用バケツであって、
上記底面部は、釣り場の凹凸形状に追従して変形するための変形許容構造を備えている釣用バケツ。
【請求項２】
釣り場上に載置される底面部を有する釣用バケツであって、
上記底面部が可撓性を有する材料からなり、当該底面部に溝が設けられている釣用バケツ。
【請求項３】
釣り場上に載置される底面部を有する釣用バケツであって、
上記底面部が可撓性を有するシート状部材からなり、当該シート状部材の所定部が内側に屈曲ないし湾曲されることによって上記底面部に凹条が形成されている釣用バケツ。
【請求項４】
上記凹条は、少なくとも上記底面部の縁部に形成されている請求項３に記載の釣用バケツ。
【発明の詳細な説明】
【技術分野】
【０００１】
本発明は、釣りの際に使用されるバケツに関するものである。
【背景技術】
【０００２】
図６は、従来の一般的な釣用バケツの正面図である。
釣用バケツ１は、容器状に形成された本体２を備え、この本体２に一対の把手３が設けられている。釣用バケツ１は、一般に合成樹脂等により構成されるから、軽量であり、釣人にとって携帯に便利なものである。釣用バケツ１は、さまざまな用途に使用される。釣用バケツ１が例えば磯釣りに供される場合には、一般に撒き餌入れとして使用され、磯の上に直接載置される。
【０００３】
釣用バケツ１に撒き餌が大量に収容されているときは、釣用バケツ１は、当該撒き餌の重量によって磯４の上に安定して載置される。ところが、撒き餌が残り少なくなった場合等では、撒き餌を収容した釣用バケツ１全体の重量が小さくなり、釣用バケツ１は、磯４の上で不安定となる。特に磯４にコケやノリ等が付着しているときには、釣用バケツ１と磯４との間で滑りが生じ、釣りバケツ１は、きわめて不安定に磯４上に載置されることになる。この問題が解決されるために、従来の釣用バケツ１では、底部分５に滑止部材が貼り付けられたものが提供されている（例えば特許文献１参照）。
【０００４】
【特許文献１】特開２００３−２０４７４４公報
【発明の開示】
【発明が解決しようとする課題】
【０００５】
本発明は、かかる背景の下になされたものであって、その目的は、磯の表面に確実にグリップし、安定して磯の上に配置される釣用バケツを提供することである。
【課題を解決するための手段】
【０００６】
(1) 上記目的が達成されるため、本発明に係る釣用バケツは、釣り場上に載置される底面部を有する釣用バケツであって、上記底面部は、釣り場の凹凸形状に追従して変形するための変形許容構造を備えたものである。この発明では、当該釣用バケツが例えば磯釣りに供される場合には、釣り場（すなわち凹凸の激しい磯等）に置かれる。このとき、当該釣用バケツの底面部が磯の上に載置されるが、この底面部が変形許容構造を備えるから、当該底面部は、当該磯の凹凸形状に追従するように変形する。つまり、この底面部が釣り場に確実にグリップする。
【０００７】
(2) また、上記目的が達成されるため、本発明に係る釣用バケツは、釣り場上に載置される底面部を有する釣用バケツであって、上記底面部が可撓性を有する材料からなり、当該底面部に溝が設けられたものである。この発明では、釣用バケツが凹凸の激しい磯の上に載置されると、釣用バケツの底面部が撓む。このとき、上記底面部に溝が設けられているから、上記底面部は、当該溝の部分できわめて容易に変形する。これにより、上記底面部は、当該磯の凹凸形状に追従するように変形する。つまり、この底面部が釣り場に確実にグリップする。
【０００８】
(3) さらに、上記目的が達成されるため、本発明に係る釣用バケツは、釣り場上に載置される底面部を有する釣用バケツであって、上記底面部が可撓性を有するシート状部材からなり、当該シート状部材の所定部が内側に屈曲ないし湾曲されることによって上記底面部に凹条が形成されたものである。この発明では、釣用バケツが凹凸の激しい磯の上に載置されると、釣用バケツの底面部が撓む。この底面部は、可撓性を有するシート状部材からなり、上記凹条が形成されているから、当該底面部は、上記凹条の部分できわめて容易に変形する。これにより、上記底面部は、当該磯の凹凸形状に追従するように変形する。つまり、この底面部が釣り場に確実にグリップする。
【０００９】
上記凹条は、少なくとも上記底面部の縁部に形成されていればよい。釣用バケツは通常容器状に形成されるものであるから、これが変形する場合には、底面部の縁部が容易に変形するものでなければならない。上記凹条が上記底面部の縁部に設けられることによって、釣用バケツが容器状に形成されていても、その底面部が容易に変形する。
【発明の効果】
【００１０】
本発明によれば、底面部が釣り場の凹凸形状に追従して容易に変形するから、釣用バケツが凹凸の激しい磯の上に載置された場合であっても、当該磯に対して滑りが生じることなく、安定して載置される。
【発明を実施するための最良の形態】
【００１１】
以下、適宜図面が参照されつつ、好ましい実施形態に基づいて本発明が詳細に説明される。
【００１２】
図１は、本発明の一実施形態に係る釣用バケツの斜視図である。図２は、図１におけるII−II断面図である。
【００１３】
この釣用バケツ１０は、例えば魚釣りの際に使用され、魚釣りの道具やエサ等さまざまなものが収容される。釣用バケツ１０は、本体１１と、本体１１に設けられた蓋１２と、一対の把手１３とを有する。本体１１は、容器状に形成されており、側壁部１４と底面部１５とを備えている。
【００１４】
側壁部１４は、例えばＥＶＡ（エチレン酢酸ビニル共重合体）等の合成樹脂により構成され、断面形状が矩形の筒状に形成されている。一方、底面部１５は、トレー状に形成されている。底面部１５は、可撓性を有するシート状部材からなり、このシート状部材の周縁部が屈曲されることによって形成されている。この底面部１５を構成する材料は、例えばＥＶＡ（エチレン酢酸ビニル共重合体）等の合成樹脂が採用される。図２が示すように、側壁部１４の下縁部１６と底面部１５の周縁部１７とは、熱融着により、あるいは接着剤により接合されている。
【００１５】
図１が示すように、側壁部１４には、把手１３を支持するステー１８が設けられている。このステー１８は、例えばＥＶＡ（エチレン酢酸ビニル共重合体）等の合成樹脂により構成される。ステー１８は、側壁部１４と一体的に形成されていてもよいが、別部材として構成され、側壁部１４に融着されていてもよい。本実施形態では、ステー１８は支持ピン１９を備えており、把手１３は、この支持ピン１９によって回動自在に支持されている。
【００１６】
把手１３は、側壁部１４の両側面にそれぞれ設けられている。把手１３は、側壁部１４と同様に、例えばＥＶＡ（エチレン酢酸ビニル共重合体）等の合成樹脂により構成される。本実施形態では、把手１３の端部２０は、略Ｕ字状に形成されており、この端部２０が上記支持ピン１９によって支持されている。これにより、把手１３は、矢印２１の方向に回動自在となっている。
【００１７】
蓋１２は、ファスナー２２によって側壁部１４の上縁部に取り付けられている。蓋１２は、矩形のシート状部材であって、例えばＥＶＡ（エチレン酢酸ビニル共重合体）等の合成樹脂により構成されている。したがって、ファスナー２２が操作されることによって、蓋１２は、本体１１を開閉することができる。
【００１８】
図３は、上記底面部１５の斜視図である。
図１〜図３が示すように、底面部１５には、凹条２３（変形許容構造）が形成されている。この凹条２３は、底面部１５を構成する板状部材が内側（側壁部１４の内側）に湾曲されることによって構成されている。本実施形態では、この凹条２３の内壁面は円弧状に形成されており、その曲率半径は、１ｍｍ〜１０ｍｍに設定されている。図３が示すように、凹条２３は、底面部１５の底面２５を横切るように延びている。具体的には、凹条２３は、底面部１５の一方の縁部２４から上記底面２５を横切り、他方の縁部２６まで延びている。なお、凹条２３の内壁面形状は円弧に限定されるものではなく、矩形状に形成されていてもよい。
【００１９】
本実施形態に係る釣用バケツ１０が例えば凹凸の激しい磯等の上に置かれた場合は、上記底面部１５と磯とが当接する。このとき、釣用バケツ１０の底面部１５が磯の上に載置されるが、この底面部１５に上記凹条２３が形成されているので、底面部１５は、上記凹条２３が形成された位置で、図３に示された矢印２７の方向に沿って容易に屈曲することができる。したがって、この釣用バケツ１０が特に撒き餌用バッカンとして使用される場合であって且つ収容される撒き餌が少量であっても、上記底面部１５が変形することによって、当該底面部１５は、磯の凹凸形状に追従するように変形する。特に、上記底面部１５の変形を許容するために上記凹条２３が形成されていることから、当該底面部１５は、当該凹条２３の部分できわめて容易に変形する。
【００２０】
つまり、この底面部１５は、磯に確実にグリップするので、当該釣用バケツ１０は、凹凸の激しい磯の上に載置された場合であっても、当該磯に対して滑りが生じることなく、安定して載置される。
【００２１】
本実施形態では、上記凹条２３は、上記底面部１５に唯一設けられていることから、当該底面部１５は、いわゆる二つ折れ状態で変形する。ただし、凹条２３の数は何ら制限を受けることはない。したがって、図４が示すように、凹条２３は、底面部１５に複数並設されていてもよいし、多数の凹条２３が交差するように形成されていてもよい。要するに、底面部１５が釣り場の凹凸形状に追従して変形することができる変形許容構造を備えていればよい。凹条２３が複数設けられる場合は、底面部１５がより変形しやすくなり、磯により確実にグリップすることができる。
【００２２】
また、本実施形態では、底面部１５を構成するシート状部材が湾曲されることによって上記凹条２３が構成されているが、底面部１５に溝が設けられることによって、当該底面部１５が変形するように構成されていてもよいことは勿論である。
【００２３】
さらに、上記凹条２３は、本実施形態では底面部１５の一方の縁部２４から上記底面２５を横切り、他方の縁部２６まで延びているが（図３参照）、この凹条２３は、図５が示すように、底面部１５の少なくとも縁部２４、２６に設けられていればよい。底面部１５は、可撓性を有するシート状部材から構成されているから、上記凹条２３が少なくとも上記縁部２４、２６に設けられていれば、釣用バケツ１０が容器状に形成されていても、底面部１５が容易に変形する。このように上記縁部２４、２６のみに凹条２３が設けられることによって、底面部１５の加工コストが低減されるという利点もある。
【産業上の利用可能性】
【００２４】
本発明は、釣りに使用される釣用バケツに適用され得る。
【図面の簡単な説明】
【００２５】
【図１】図１は、本発明の一実施形態に係る釣用バケツの斜視図である。
【図２】図２は、図１におけるII−II断面図である。
【図３】図３は、本発明の一実施形態に係る釣用バケツの要部拡大斜視図である。
【図４】図４は、本発明の一実施形態の変形例に係る釣用バケツの要部拡大斜視図である。
【図５】図５は、本発明の一実施形態の他の変形例に係る釣用バケツの要部拡大斜視図である。
【図６】図６は、従来の一般的な釣用バケツの正面図である。
【符号の説明】
【００２６】
１０・・・釣用バケツ
１１・・・本体
１２・・・蓋
１３・・・把手
１４・・・側壁部
１５・・・底面部
１６・・・下縁部
１７・・・周縁部
２３・・・凹条
２４・・・一方の縁部
２５・・・底面
２６・・・他方の縁部
【図１】
2005323525.tif 000003
【図２】
2005323525.tif 000004
【図３】
2005323525.tif 000005
【図４】
2005323525.tif 000006
【図５】
2005323525.tif 000007
【図６】
2005323525.tif 000008